(57)【特許請求の範囲】
【請求項１】
インナーバルコニー前面に手摺ユニット又はバルコニーユニットが接続されてなる建物であって、前記手摺ユニット又はバルコニーユニットは、基体部と、この基体部周縁部の前面と側面に立設された手摺とから構成され、基体部の手摺が設けられていない側面に設けられている取付部と、手摺部の上部端に設けた取付部とが、取付金具でインナーバルコニーの前面部に取り付けられ、上記インナーバルコニーの床面と手摺ユニット又はバルコニーユニットの床面との上に連続して透水性の床仕上材が敷設されていることを特徴とするインナーバルコニー付建物。
【請求項２】
手摺ユニット又はバルコニーユニットの床面がインナーバルコニーバルコニー側に向かって低くなる傾斜面とされ、インナーバルコニーとの接続部近傍に排水樋が設けられていることを特徴とする請求項１記載のインナーバルコニー付建物。
【請求項３】
手摺ユニット又はバルコニーユニットの基体部に透水性の嵩上げ部材が設置され、この嵩上げ部材の表面が床面とされていることを特徴とする請求項１記載のインナーバルコニー付建物。
【発明の詳細な説明】
【０００１】
【発明の属する技術分野】
この発明は、建物の内側にバルコニー部を備えたインナーバルコニー付建物に関するものである。
【０００２】
【従来の技術】
建物の内側にバルコニー部（以下、インナーバルコニーという）を備えた建物としては、予め内部にバルコニーを設けた建物ユニットとその他の建物ユニットとを建築現場で組み立てたユニット建物が知られている（例えば、特公平２−１１６９８号公報）。
【０００３】
この建物ユニットは予め工場で生産され、建築現場に輸送されるものであるため、建物ユニットの大きさは輸送上の制限により限定される。したがって、インナーバルコニーの大きさ等が限定されることになる。
【０００４】
そのため、このインナーバルコニーを前部が開放されたものとし、その前部に手摺ユニット又はバルコニーユニットを接合してより広いバルコニーを形成することが提案されている。
例えば、特許第２５５７１６８号公報には、内部に前部が開放されたバルコニー部が設けられた建物ユニットの前部にバルコニーユニットを接合し、前記バルコニー部の床と前記バルコニーユニットの床との間に排水溝を設けたバルコニー付建物が提案されている。
【０００５】
【発明が解決しようとする課題】
上記のバルコニー付建物においては、排水溝は床面に露出した状態であるから、歩行時に足が嵌まったり、物が落ち込む等の不便さがあり、また、外観もよくないという問題があった。
【０００６】
この発明は、上記の不便さを解消するとともに外観の優れたバルコニー付建物を提供することを目的とする。
【０００７】
【課題を解決するための手段】
請求項１記載の発明のインナーバルコニー付建物は、インナーバルコニー前面に手摺ユニット又はバルコニーユニットが接続されてなる建物であって、前記手摺ユニット又はバルコニーユニットは、基体部と、この基体部周縁部の前面と側面に立設された手摺とから構成され、基体部の手摺が設けられていない側面に設けられている取付部と、手摺部の上部端に設けた取付部とが、取付金具でインナーバルコニーの前面部に取り付けられ、上記インナーバルコニーの床面と手摺ユニット又はバルコニーユニットの床面との上に連続して透水性の床仕上材が敷設されていることを特徴としている。
【０００８】
請求項２記載の発明のインナーバルコニー付建物は、請求項１記載のインナーバルコニー付建物において、手摺ユニット又はバルコニーユニットの床面がインナーバルコニーバルコニー側に向かって低くなる傾斜面とされ、インナーバルコニーとの接続部近傍に排水樋が設けられていることを特徴としている。
【０００９】
請求項３記載の発明のインナーバルコニー付建物は、請求項１記載のインナーバルコニー付建物において、手摺ユニット又はバルコニーユニットの基体部に透水性の嵩上げ部材が設置され、この嵩上げ部材の表面が床面とされていることを特徴としている。
【００１０】
この発明において、インナーバルコニーとは、建物の外壁より内部に前面を開放して設けたバルコニーをいう。
【作用】
この発明の請求項１記載のインナーバルコニー付建物は、インナーバルコニーの床面と手摺ユニット又はバルコニーユニットの床面との上に連続して透水性の床仕上材が敷設されているから、人の歩行に不便さはなくなり、物がバルコニーの床に落ち込まない。
【００１１】
この発明の請求項２記載のインナーバルコニー付建物は、手摺ユニット又はバルコニーユニットの床面がインナーバルコニーバルコニー側に向かって低くなる傾斜面とされ、インナーバルコニーとの接続部近傍に排水樋が設けられているから、バルコニーの排水性は良好であり、かつ、そのインナーバルコニーの床面と手摺ユニット又はバルコニーユニットの床面との上に連続して透水性の床仕上材が敷設されているから、人の歩行に不便さはなくなり、物が排水溝内に落ち込まず、また、排水溝は透水性の床仕上材で覆われて露出せずその上面は平坦となり、排水溝が外部から見えず外観良好となる。
【００１２】
この発明の請求項３記載のインナーバルコニー付建物は、手摺ユニット又はバルコニーユニットの基体部に、透水性の嵩上げ部材が設置され、この嵩上げ部材の表面が床面とされていることにより床面が嵩上げされ、インナーバルコニー部の床面と段差が生じたり、また、排水性向上のため、この手摺ユニット又はバルコニーユニットの床面を傾斜面としたり、排水溝を設けても、透水性の嵩上げ部材によってインナーバルコニー部の床面と連続して透水性の床仕上材を容易に敷設でき、人の歩行に不便さはなくなり、物がバルコニーの床に落ち込まず、外観良好となる。
【００１３】
【発明の実施の形態】
次に、この発明の実施の形態を図面の実施例を参照しながら説明する。
【００１４】
図１は、この発明の実施例のインナーバルコニー付建物を示す縦断面図である。
図１において、１はインナーバルコニー付建物ユニット、２は手摺ユニット、３は建物ユニット１の階下の建物ユニットである。
【００１５】
建物ユニット１は、インナーバルコニー１１と居室１２とを備えている、いわゆるインナーバルコニー付建物ユニットであり、インナーバルコニー１１の前面は開放されている。インナーバルコニー１１の床面１１１は、その表面は防水処理が施されており、前面開放部に向かって低くなる傾斜面とされている。
また、インナーバルコニー１１と居室１２との連絡口１３には、図示していないが、窓や扉が必要に応じて設けられる。
【００１６】
手摺ユニット２は、基体部２２と、この基体部２２の周縁部の前面と側面に立設された手摺２１と、基体部２２の上に設置された箱状体からなる排水樋２３等から構成されている。
そして、基体部２２の手摺２１が設けられていない側面に設けられている取付部２２１と、手摺部２１の上部端に設けた取付部２１１とを、取付金具でインナーバルコニー１１の前面部に取り付けることによって、手摺ユニット２はインナーバルコニー付建物ユニット１に固着されている。
なお、２４は、排水樋２３で受けた排水を受けるためのドレンであり、竪排水管２５に接続されている。
【００１７】
４は透水性の嵩上げ部材であり、表面板部に多数の貫通孔が設けられた鋼板（パンチングメタル）からなり、基体部２２に排水樋２３を介して載置され、嵩上げ部材４の表面が床面とされている。この嵩上げ部材４の表面は、インナーバルコニー１１の床面１１１とほぼ同一高さとされている。
【００１８】
上記インナーバルコニー１１の床面１１１と嵩上げ部材４の上に連続して、透水性の床仕上材５が敷設されている。すなわち、多数のブロックタイル５１を床面１１１と嵩上げ部材４の表面とに互いに小間隔をおいて敷設することによって、透水性の床仕上材５とされている。
なお、１１２は、インナーバルコニー１１の天井部１１２である。
【００１９】
上記のインナーバルコニー付建物においては、手摺ユニット２に嵩上げ部材４を敷設することにより床面を嵩上げしたから、段差なくインナーバルコニー１１の床面１１１との上に連続して透水性の床仕上材５が敷設され、人の歩行に不便さはなくなり、物がバルコニーの床に落ち込まないものとなっている。
【００２０】
そして、雨水等の水は透水性の嵩上げ部材４と床仕上材５を透って排水樋２３に集まり、ドレン２４を経て竪排水管２５から良好に排水される。
また、手摺ユニット２をインナーバルコニー付建物ユニット１と別のユニットとすることにより、輸送上の制約を受けず、広さやデザインの自由度が大きくなり、外観の良いバルコニーを構築できる。
【００２１】
図２は、この発明の他の実施例のインナーバルコニー付建物を示す縦断面図である。
図２において、１Ａはインナーバルコニー付建物ユニット、２Ａは手摺ユニット、３Ａは建物ユニット１Ａの階下の建物ユニットである。
【００２２】
建物ユニット１Ａは、前記したインナーバルコニー付建物１とほぼ同様のものであり、インナーバルコニー１１Ａと居室１２Ａとを備え、両者の連絡口には引き戸タイプのガラス戸１４が設置されている。
インナーバルコニー１１Ａの前面は開放され、床面１１１Ａの表面は防水鋼板１１３を敷設することにより防水処理が施されており、前面開放部に向かって低くなる傾斜面とされている。なお、防水鋼板１１３の先端を排水樋２３に突出させ、排水性を良好にしている。
【００２３】
手摺ユニット２Ａは、基体部２２Ａと、この基体部２２Ａの周縁部の前面と側面に立設された手摺２１Ａからなり、基体部２２Ａの床面２２２Ａは、インナーバルコニー付建物ユニット１に向かって低くなる傾斜面とされ、その先端部に排水樋２３Ａが設置されている。床面２２２Ａの表面は防水鋼板１１３Ａを敷設することにより防水処理が施されており、防水鋼板１１３Ａの先端を排水樋２３に突出させ、排水性を良好にしている。
この排水樋２３Ａには図示していないが図１に示す場合と同様、ドレン、竪排水管が設けられている。
【００２４】
また、基体部２２Ａの手摺２１Ａが設けられていない側面に取付部２２１Ａが設けられ、取付金具により、手摺ユニット２Ａはインナーバルコニー付建物ユニット１の前面開口部に固定されている。また、側面の手摺部２１Ａもその端部に設けた取付部（図示せず）を取付金具でインナーバルコニー付建物ユニット１Ａの前面開口部に固定されている。
【００２５】
上記インナーバルコニー１１Ａの床面１１１Ａと手摺ユニット２Ａの床面２２２Ａはほぼ同一高さとされ、その上に連続して、多数の貫通孔が設けられることにより透水性とされた床仕上材５Ａが敷設されている。
なお、１１２Ａは、インナーバルコニー１１Ａの天井部１１２Ａである。
【００２６】
上記のインナーバルコニー付建物においては、インナーバルコニー１１Ａの床面１１１Ａと手摺ユニット２Ａの床面２２２との境界部近くに排水樋２３Ａが設置され、この排水樋２３Ａに向かって両床面１１１Ａは低くなっているので、排水は良好となり、透水性の床仕上材５Ａが敷設されているので、人の歩行に不便さはなくなり、物がバルコニーの床に落ち込まないものとなっている。
また、手摺ユニット２Ａをインナーバルコニー付建物ユニット１Ａと別のユニットとすることにより、輸送上の制約を受けず、広さやデザインの自由度が大きくなり、外観の良いバルコニーを構築できる。
【００２７】
上記の実施例は、いずれも手摺ユニットとインナーバルコニー付建物ユニットを組み合わせているが、バルコニーユニットとインナーバルコニー付建物ユニットとを組み合わせ、バルコニーをさらに広いものとすることもできる。
【００２８】
【発明の効果】
この発明の請求項１記載のインナーバルコニー付建物においては、インナーバルコニーの床面と手摺ユニット又はバルコニーユニットの床面との上に連続して透水性の床仕上材が敷設されているから、人の歩行に不便さはなくなり、物がバルコニーの床に落ち込まず、外観良好となる。
【００２９】
この発明の請求項２記載のインナーバルコニー付建物は、手摺ユニット又はバルコニーユニットの床面がインナーバルコニーバルコニー側に向かって低くなる傾斜面とされ、インナーバルコニーとの接続部近傍に排水樋が設けられているから、バルコニーの排水性は良好であり、かつ、そのインナーバルコニーの床面と手摺ユニット又はバルコニーユニットの床面との上に連続して透水性の床仕上材が敷設されているから、人の歩行に不便さはなくなり、物が排水溝内に落ち込まず、また、排水溝は透水性の床仕上材で覆われて露出せずその上面は平坦となり、排水溝が外部から見えず外観良好となる。
【００３０】
この発明の請求項３記載のインナーバルコニー付建物は、手摺ユニット又はバルコニーユニットの基体部に透水性の嵩上げ部材が設けられているから、この手摺ユニット又はバルコニーユニットの床面が、インナーバルコニー部の床面と段差が生じたり、また、排水性向上のため、この手摺ユニット又はバルコニーユニットの床面を傾斜面としたり、排水溝を設けても、透水性の嵩上げ部材によってインナーバルコニー部の床面と連続して透水性の床仕上材を容易に敷設でき、人の歩行に不便さはなくなり、物がバルコニーの床に落ち込まず、外観良好となる。
【図面の簡単な説明】
【図１】この発明のインナーバルコニー付建物の実施例の横断面図である。
【図２】この発明のインナーバルコニー付建物の他の実施例の横断面図である。
【符号の説明】
１、１Ａ          インナーバルコニー部を備えた建物ユニット
１１、１１Ａ      インナーバルコニー部
１１１、１１１Ａ  床面
１２、１２Ａ      居室部
２、２Ａ          手摺ユニット
２１、２１Ａ      手摺
２２、２２Ａ      基体部
２３、２３Ａ      排水樋
３、３Ａ          階下の建物ユニット
４                嵩上げ部材
５、５Ａ          透水性の床仕上材
【図１】
0003566537.tif 000002
【図２】
0003566537.tif 000003